(57)【要約】【課題】簡単に着用でき、機能性に優れてかつデザイン的に趣向のある褌を提供すること。【解決手段】  褌本体布部３と前垂れ布部２と前記褌本体布部３前垂れ布部との間に腰部に巻回して固定する為の腰紐４と、前記褌本体布部の両端部に固定した前記腰紐４と挿通する為のループ片５とを備えている。この構成により、前垂れ布部２がずれることなく着用感が爽快となるなどの効果が得られる。【選択図】図３
2006009222.tif 000002
【特許請求の範囲】
【請求項１】
褌本体布部と、前垂れ布部と、前記褌本体布部と前垂れ布部との間に腰部に巻回して固定する為の腰紐と、前記褌本体布部の両端部に固定した前記腰紐と挿通する為のループ片とを有することを特徴とする褌。
【請求項２】
前記ループ片は、ウエストサイズを調整する為の複数の腰紐挿通孔を有することを特徴とする請求項１に記載の褌。
【請求項３】
前記褌本体布部及び前垂れ布部に各種の絵柄、図、文字等のデザインを施したことを特徴とする請求項１又は請求項２のいずれかに記載された褌。
【発明の詳細な説明】
【技術分野】
【０００１】  本発明は、褌を長時間の着用により褌の前垂れ部分が中心にずれず、腹部から臀部を覆う部分の布がたるむことなく着用できる褌に関するものである。
また、従来の製作技術を改良し、褌の生地が柄物の場合にも対応し、生地本来の柄を生かすことを課題にデザイン性と着用心地と見栄えの三位一体の褌に係るものである。
【背景の技術】
【０００２】  従来、一般には褌を着用者の体に固定するための紐部分を褌本体の端部に縫い付けている。かかる従来品では着用しにくいという不便と長時間の着用あるいは着用者のハードな動きに対応できず、褌の前垂れ部分が中央にずれてしまう現象や腹部から臀部を覆う部分が垂れ下がるという現象が生じ易かった。また、従来では褌の生地が柄物であるというものは殆んどなくデザインに乏しかった。
【０００３】  そこで、このような欠点を改善するため、本発明者は、紐部分を褌本体の前たれ部分と腹部から臀部を覆う部分の境に縫い合わせる方法と褌の端部に紐を通すためのループを付けることを提案した。また、紐の縫い目はカバーする役目にもなるため柄物の生地でも前方、後方ともに生地本来の柄を活かすことや前後全く違う柄の生地を使用するというニーズにも対応できるのが特徴である。
【特許文献１】  特開  ２００４−１３１９０９号  公報
【特許文献２】  特開  ２００２−２７５７０１号  公報
【発明の開示】
【発明が解決しようとする課題】
【０００４】  従来の褌では、着用中に前垂れ部分の布が中心に寄りやすくなるという現象が発生することにより見た目が悪くなってしまうという欠点が生じる。【０００５】  また、上記の欠点と同時に長時間または着用者のハードな動きにより陰部に生地のたるみが出てしまう現象が発生することにより付け心地と見栄えが悪くなってしまうという欠点が生じる。【０００６】  さらに、プリントがされている柄物の布の場合、縫製の都合上により装着時に前垂れ布部を折り返すためプリントされている柄の表裏が不一致になってしまう現象が起きる。また、前後違ったデザインといった要望にも応えることができないという欠点が生じる。【０００７】  以上の課題に加えさらに改善に迫られている点がある。それは褌の着用手順である。すなわち、非常に着用に手間取ることである。【０００８】  本発明は、上記した従来の褌にない形状にすることにより褌としての機能と付け心地の向上が図られるようにした。また、使用者を前後左右から見た場合の見栄えを良好にすることにより、“褌は下着である”というイメージにとらわれずもっと広い分野での活用に着眼し“褌”という延長線から発展させ、水着としての機能の向上にも結び付けた。従って、褌の商品価値を著しく高めることができる。
【課題を解決するための手段】
【０００９】  褌の前垂れ布と腹部から臀部を覆う布を別々に裁断し、二つの布の縫い合わせ部分に褌を固定する紐をさらに縫い合わせる。なお二つの布を別々に縫い合わせることにより素材が柄物にも対応できるようになる。
【発明を実施するための最良の形態】
【実施例】
【００１０】  以下に、本発明の一実施例を図に基づいて詳細に説明する。
図１は褌の展開図である。
図１において、１は褌全体を示す。２は褌の前垂れ布部を示し、３は褌本体布部を示す。４は腰紐を示し、５は前記腰紐を固定するループ片である。６は前記褌の前垂れ布２、前記褌本体布部３、腰紐４の縫い合わせ部分を示している。
図２は前記図１のループ片５の部分の拡大した図である。
図２において、５ａ〜５ｄは着用者のウエストサイズに合わしたループ片である。これらのループ片５ａ〜５ｄは褌本体布部３の両端部にその長手方向に沿って固定されている。また、前記ループ片５ａ〜５ｄにはそれぞれ腰紐をそ挿通するための腰紐挿通孔８ａ〜８ｄが設けられている。
図３は着用時の状態を示す。
図３において褌全体１、褌前垂れ布部２、褌本体布部３、腰紐４、ループ片５、縫い合わせ部分６は前記図１と同じ部分を示す。７は着用時の腰紐を締めた時の結び目を示す。
本発明は従来の褌の紐部分と褌本体の縫い合わせ部を改善したものである。すなわち、紐部分を前垂れ部分に縫い合わせる方法で装着時に紐に左右へ力が加わり前垂れ部分を常に左右に引っ張るという働きをもたらすため、従来の前垂れが中心に寄りやすくなってしまうという欠点を完全に解決することができる。換言すれば、長時間の着用と着用者のハードな動きによりずれてしまうということがなく、常に見栄えが良好となる効果がある。【００１１】  なお、本発明は装着直前に褌の固定に使う紐を褌の端部にあったループ片に通して、装着時の形態を予め整えた後に、着用することで非常にスムーズに装着することができる。【００１２】  また、本発明は、腰紐４により着用者の下腹部と腰部を中心に左右への力が常時に働いているため、装着中に陰部を覆うための布がたれてしまうという欠点が解決できる。さらに装着中常に装着者の体にフィットするため装着時における使い心地が良好となる効果がある。【００１３】  また、本発明は従来の褌にない形態から紐の結び方にも工夫を施した。すなわち、両端の前記腰紐４を左右後ろ方向に回し、図２のループ片に通す。次に、前記腰紐４の端部を腹部に向かって前方向に引っ張り着用者のウエストのサイズに合うまで締めてから下腹部の中央部分で結べば前記前垂れ布部２のずれが防止できる効果が得られる。【００１４】  従来品と比較し、本発明は褌の紐の縫い付け位置の変更と褌の端部分にループ片を付け加えたため、装着直前に紐を装着者に合うサイズのループに通すことにより日ごろ着用しなれているトランクスやブリーフの様な下着の形に近い状態にすることができる。また、通常通りに下着を着ける感覚で着用すれば簡単に着用できる。【００１５】  また、本発明は褌の生地が柄物であるケースにも対応できる製作技術を使用したため従来の褌のように生地に縛られることなく、一層見栄えがよくなると共に褌のデザインの幅を大きく広げる効果がある。【００１６】  実際に本発明の褌を着用して、おみこしを担ぐなどのハードな動きしたり、また、水でぬらしたりの結果前垂れ部分は中央にずれることなく、看者からの見栄えも良好に保つことができた。
【発明の効果】
【００１７】本発明は、上記のように構成したので、概略次のような効果が得られる。
（１）褌の前垂れ布部のずれが生じない。
（２）褌の本体布部の垂れ下がる現象が生じない。
（３）褌の着心地が爽快となる。
（４）着用時の見栄えは常に良好である。
（５）褌のデザインの幅を広げる効果を得られる。
【産業上の利用可能性】
【００１８】  上記の実施例ではループ片５に複数の挿通孔５ａ〜５ｄを設けたが、これに限定されるものではなく、例えば、オーダーメイドの場合には、その人のウエストサイズに合わせるので挿通孔は１つであっても良い。
【図面の簡単な説明】
【００１９】
【図１】褌の展開図である。
【図２】腰紐を固定する部分の拡大図である。
【図３】着用時の状態を示す斜視図である。
【符号の説明】
【００２０】  １  褌全体
２  褌の前垂れ布部
３  褌本体布部
４  腰紐
５  腰紐を固定するループ片全体
５ａ〜５ｄ  ループ片
６  褌本体布部と褌前垂れ布部と腰紐との縫い合わせ部分
７  着用時の腰紐の結び目
８ａ〜８ｄ  腰紐挿通孔
【図１】
2006009222.tif 000003
【図２】
2006009222.tif 000004
【図３】
2006009222.tif 000005